(57)【要約】【課題】壁側の蛇口を二股蛇口に替えることなく、しかも見栄えを悪化させずに、新たな蛇口を提供する。【解決手段】水道水吸水口１５から給水電磁弁を介して洗濯槽に給水する洗濯機において、外箱１６の隅部側面１６１に開口２２が形成され、外箱１６内の、開口２２に対応した位置に蛇口２５が配置され、水道水吸水口１５と給水電磁弁との間の水路から分岐して蛇口２５の入口に配管が接続されている。開口２２は側蓋により開閉自在である。蛇口２５は、基端部の軸心の回りに旋回自在な吐水パイプ２５１を吐水部に備え、吐水パイプ２５１を旋回させることによりその先端部が外箱１６に対し開口２２の内側と外側とに移動自在である。蛇口２５は、その本体部２５０の長手方向が側面１６１に沿って配置されている。蛇口２５の入口を外箱隅部側に位置させれば、隅部空きスペースをより有効に利用できる。【選択図】図１
0003114147.tif 000002
【実用新案登録請求の範囲】
【請求項１】
外箱内に洗濯槽を備え、水道水吸水口から給水電磁弁を介して該洗濯槽に給水する蛇口付洗濯機において、
該外箱の側面に形成された開口と、
該外箱内の、該開口に対応した位置に配設された蛇口と、
該水道水吸水口と該給水電磁弁との間の水路から分岐して該蛇口の入口に接続された配管と
を有することを特徴とする蛇口付洗濯機。
【請求項２】
該開口を開閉自在な側蓋をさらに有することを特徴とする請求項１記載の蛇口付洗濯機。
【請求項３】
該蛇口は、基端部の軸心の回りに旋回自在な吐水パイプを吐水部に備え、該吐水パイプを旋回させることにより該吐水パイプの先端部が該外箱に対し該開口の内側と外側とに移動自在に配設されていることを特徴とする請求項１又は２記載の蛇口付洗濯機。
【請求項４】
該蛇口は、その本体部の長手方向が該外箱内の１つの隅部の１側面に沿って配置されていることを特徴とする請求項１乃至３のいずれか１つに記載の蛇口付洗濯機。
【請求項５】
該蛇口は、その該入口が該１つの隅部側に位置するように配置されていることを特徴とする請求項４記載の蛇口付洗濯機。
【考案の詳細な説明】
【技術分野】
【０００１】
本考案は、蛇口付洗濯機に関する。
【背景技術】
【０００２】
自動洗濯機では、給水電磁弁が備えられ、自動をスタートさせると、給水電磁弁がオンにされて洗濯槽内に給水される。この給水電磁弁の入口側は、水道水吸水口及び給水ホースを介して、壁に取着された蛇口に接続される。
【０００３】
しかし、蛇口が洗濯機に用いられるので、他の用途、例えばホースを介してベランダの植木に散水することができない。洗濯機不使用時にこの給水ホースを取り外して他のホースを蛇口に接続することもできるが、煩雑であるため、そのようなことは通常行われていない。
【０００４】
蛇口の近くには通常、洗面台の蛇口があるが、ホースを取り付けるためには、アダプタを蛇口に取り付けておく必要があるため、洗面台の蛇口にホースを接続することは一般に行われていない。
【０００５】
洗濯機用蛇口を二股蛇口に取り替えればその一方を他の用途に用いることができるが、そのためだけに蛇口を取り替える人は殆どなく、また、取り替えが認められない集合住宅もある。
【０００６】
また、水漏れを防ぐため、洗濯機は防水パン上に載置されるが、防水パン内に埃が溜まると掃除しずらいので、敢えて防水パンを用いない人もいる。
【０００７】
下記特許文献１〜３には、洗濯機の洗濯槽上部に洗面台を備えることにより、洗濯機を洗面台としても用いることを可能にしたものが提案されている。
【０００８】
しかし、一般に洗面台は陶器で比較的重く、金属製洗面台は好まれず、洗濯機の振動が洗面台に伝わるのは好ましくなく、しかも、洗濯機を取り替える際には洗面台付洗濯機を一体として取り替える必要があるなどの理由により、そのようなものは市販されていない。
【特許文献１】実開昭６２−２３５８３号公報
【特許文献２】実開昭６３−４６０８８号公報
【特許文献３】実開平０２−４０３８７号公報
【考案の開示】
【考案が解決しようとする課題】
【０００９】
本考案は、本考案者によるこのような知見に基づいて案出されたものであり、その目的は、壁側の蛇口を二股蛇口に替えることなく、しかも見栄えを悪化させずに、新たな蛇口を提供することができる蛇口付洗濯機を提供することにある。
【課題を解決するための手段】
【００１０】
本考案による蛇口付洗濯機の第１態様では、外箱内に洗濯槽を備え、水道水吸水口から給水電磁弁を介して該洗濯槽に給水する蛇口付洗濯機において、
該外箱の側面に形成された開口と、
該外箱内の、該開口に対応した位置に配設された蛇口と、
該水道水吸水口と該給水電磁弁との間の水路から分岐して該蛇口の入口に接続された配管を有する。
【００１１】
本考案による蛇口付洗濯機の第２態様では、第１態様において、該開口を開閉自在な側蓋をさらに有する。
【００１２】
本考案による蛇口付洗濯機の第３態様では、第１又は２態様において、該蛇口は、基端部の軸心の回りに旋回自在な吐水パイプを吐水部に備え、該吐水パイプを旋回させることにより該吐水パイプの先端部が該外箱に対し該開口の内側と外側とに移動自在に配設されている。
【００１３】
本考案による蛇口付洗濯機の第４態様では、第１乃至３態様のいずれか１つにおいて、該蛇口は、その本体部の長手方向が該外箱内の１つの隅部の１側面に沿って配置されている。
【００１４】
本考案による蛇口付洗濯機の第５態様では、第４態様において、該蛇口は、その該入口が該１つの隅部側に位置するように配置されている。
【考案の効果】
【００１５】
上記第１態様の構成によれば、水道水吸水口と給水電磁弁の間の水路から分岐して洗濯機内蛇口が接続されているので、壁側の洗濯機用蛇口を二股蛇口と取り替えることなく洗濯機内蛇口を用いることが可能となり、また、給水電磁弁のオン／オフ制御とは無関係に洗濯機内蛇口から水道水を吐出させることができるという効果を奏する。その上、洗濯機外箱の側面に開口が形成され、外箱内の、該開口に対応した位置に蛇口が配設されているので、見栄えがよいという効果を奏する。
【００１６】
上記第２態様の構成によれば、蛇口不使用時に側蓋で蛇口用開口を閉じることができるので、見栄えがさらによくなるという効果を奏する。
【００１７】
上記第３態様の構成によれば、蛇口の吐水パイプを旋回させることにより吐水パイプの先端部が外箱に対し開口の内側と外側とに移動自在に配設されているので、見栄えを悪化させることなく、蛇口が使い易いという効果を奏する。
【００１８】
上記第４態様の構成によれば、蛇口本体部の長手方向が洗濯機外箱内の１つの隅部の１側面に沿って配置されているので、隅部空きスペースを有効利用することができるという効果を奏する。
【００１９】
上記第５態様の構成によれば、蛇口の入口が該１つの隅部側に位置するように配置されているので、隅部スペースが比較的狭くても、外箱を大きくすることなく、外箱内の空きスペースを有効利用することができるという効果を奏する。
【００２０】
本考案の他の目的、構成及び効果は以下の説明から明らかになる。
【実施例１】
【００２１】
図１及び図２はいずれも、室内に配置された洗濯機１０を示す斜視図であり、図１は洗濯機側面の蛇口用開口の蓋が開けられた状態を示し、図２はこの蓋が閉じられた状態を示す。
【００２２】
洗濯機１０は、室内の隅部床上に配置された防水パン１１上に載置されている。一方、壁１２には、洗濯機専用の蛇口１３が取着されている。給水ホース１４は、その一端部がアダプタを介して蛇口１３に接続され、他端部がアダプタを介して洗濯機１０の水道水吸水口１５に接続されている。
【００２３】
水道水吸水口１５は、外箱１６の上面後端部に備えられている。この上面後端部にはさらに、風呂水給水口１７が備えられている。外箱１６の上面前端部には操作パネル１８が備えられ、上面中間部は上蓋１９で覆われている。外箱１６の側面下部には排水ホース２０が接続され、その先端部が防水パン１１の排水口２１に挿入されている。
【００２４】
外箱１６の側面１６１の前端側には、矩形の開口２２が形成されている。開口２２は、側面１６１に沿って上下にスライド自在な側蓋２３により、開閉自在となっている。取っ手２４は、側蓋２３の上辺に沿って取着されている。外箱１６内には、開口２２に対応して蛇口２５が配設されている。
【００２５】
図３は、洗濯機１０の横断面概略構成を示す。図４は、取っ手２４及び蛇口２５の状態を示す図である。
【００２６】
側蓋２３は、側面１６１の、開口２２の両側に形成されたサイド溝２６及び２７に沿って上下方向にスライド自在となっている。側蓋２３には永久磁石が備えられており、図４（Ａ）に示す位置で側蓋２３が側面１６１の開口上辺縁部に磁着して、取っ手２４が上限位置に保持される。
【００２７】
外箱１６内には、外槽２８が、不図示の４本の吊り棒により外箱１６の上部に弾性体を介し防振支持されている。外槽２８内には、洗濯物を収容する洗濯槽２９が配設されている。洗濯槽２９は、外槽２８の底面に被着された不図示のモータにより、減速機を介し回転駆動される。
【００２８】
外箱１６と外槽２８の間には空きがあり、特に外箱１６の前面側の隅部の空きが比較的広い。また、蛇口２５の操作性は外箱１６の前面側の方がよい。そこで、外箱１６の前面側の隅部一カ所に蛇口２５が配設されている。
【００２９】
蛇口２５は、その基端部がＬ形金具３０を介して側面１６１の内面に固着されている。蛇口２５は、その本体部２５０の長手方向がこの内面に沿って配置され、本体部２５０の出口に吐水パイプ２５１の基端部が旋回自在に支持され、本体部２５０の中間部にハンドル２５２が取り付けられている。
【００３０】
一方、側面１６１の後端側内面には、Ｌ形金具３１を介してエルボ３２が固着され、エルボ３２の一端と蛇口２５の入口との間が直管３３で接続されている。エルボ３２の他端は、直管３４を介して、水道水吸水口１５と給水電磁弁３５の間の流路に分岐接続されている。
【００３１】
給水電磁弁３５は、水道水吸水口１５と洗濯槽２９の上方との間の流路に介装されており、洗濯槽２９内への水道水の供給及び遮断を制御可能となっている。
【００３２】
次に、上記の如く構成された本実施例１の動作を説明する。
【００３３】
洗濯中であるかどうかを問わず、洗濯用以外に水道水が必要な場合には、図２及び図４（Ａ）に示す状態で、取っ手２４を持って押し下げることにより、図１及び図４（Ｂ）に示す開状態とする。この状態で吐水パイプ２５１を図１中の矢印方向へ旋回させることによりその先端部を外箱１６の外側へ移動させる。これにより、図４（Ｃ）に示す如くなる。
【００３４】
ハンドル２５２を回動させて吐水パイプ２５１から水を流出させることにより、例えば防水パン１１内を洗浄することができる。また、吐水パイプ２５１に不図示のアダプタを介してホースを接続することにより、ベランダの植木に散水することなどが可能となる。
【００３５】
蛇口２５の使用が終了した場合には、ハンドル２５２を回動させて水路を閉止し、吐水パイプ２５１を逆方向に旋回させ、取っ手２４を持ち上げて開口２２を閉じることにより、図２に示す状態に戻る。
【００３６】
本実施例１によれば、蛇口１３を二股蛇口と取り替えることなく洗濯機１０内の新たな蛇口を用いることが可能となる。また、蛇口２５が水道水吸水口１５と給水電磁弁３５の間の流路に分岐接続されているので、給水電磁弁３５のオン／オフ制御とは無関係に蛇口２５から水道水を吐出させることができる。さらに、蛇口２５が外箱１６と外槽２８の間の空きスペースに配置されているので、この空きスペースを有効利用することができる。その上、側蓋２３で開口２２を閉じることにより、外部から蛇口２５が見えないので、見栄えがよい。
【実施例２】
【００３７】
図５は、本考案の実施例２の洗濯機１０Ａの横断面概略構成を示す。
【００３８】
この実施例２では、蛇口２５の入口を外箱１６の隅側に配置し、蛇口２５の本体部２５０の長手方向を側面１６１に沿って配設している。
【００３９】
すなわち、外箱１６の前面側の側面１６１内面に、蛇口２５の基端部がＬ形金具３０Ａを介して側面１６１に取着され、蛇口２５の入口がエルボ３２Ｂの一端に接続され、エルボ３２Ｂの他端が、下方に伸びた直管に接続され、この管がエルボを介し水平に沿った直管３３Ａに接続され、直管３３Ａがさらに、側面１６１に固着されたエルボを介し、上方に延びる直管に接続された後、エルボ３２Ａを介し水平方向の直管３４に接続され、直管３４の一端が、水道水吸水口１５と給水電磁弁３５の間の流路に分岐接続されている。
【００４０】
他の点は、上記実施例１と同様である。
【００４１】
本実施例２によれば、蛇口２５のハンドル２５２及び蛇口２５を支持するＬ形金具３０Ａが外箱１６の隅側に位置しているので、外箱１６内の空きスペースが比較的狭くても、外箱１６を大きくすることなく、外箱１６内の空きスペースを有効利用することができる。
【００４２】
なお、本考案には外にも種々の変形例が含まれる。例えば、本考案に用いられる蛇口２５の種類及び形状は上記実施例で示したものに限定されず、外箱１６内に収納可能な種々のものを用いることが可能である。例えば、図４において、吐水パイプ２５１の旋回方向を変えずに、ハンドル２５２の軸が側面１６１に垂直で側面１６１側にハンドル２５２が位置する蛇口を用いてもよい。また、本考案が適用される洗濯機は、外箱内に洗濯槽を備え水道水吸水口から給水電磁弁を介して該洗濯槽に給水するものであればよく、外槽及び洗濯槽が斜めになった斜めドラム式であってもよい。さらに、側蓋２３は着脱自在な構造であってもよい。
【図面の簡単な説明】
【００４３】
【図１】室内に配置された洗濯機を示す斜視図であり、洗濯機側面の蛇口用開口の蓋が開けられた状態を示すである。
【図２】室内に配置された洗濯機を示す斜視図であり、洗濯機側面の蛇口用開口の蓋が閉じられた状態を示す図である。
【図３】図１の洗濯機の横断面概略構成を示す図である。
【図４】洗濯機の外箱に備えられた側蓋及び蛇口の状態を示す図である。
【図５】本考案の実施例２の洗濯機の横断面概略構成を示す図である。
【符号の説明】
【００４４】
１０、１０Ａ  洗濯機
１１  防水パン
１２  壁
１３、２５  蛇口
１４  給水ホース
１５  水道水吸水口
１６  外箱
１６１  側面
１７  風呂水給水口
１８  操作パネル
１９  上蓋
２０  排水ホース
２１  排水口
２２  開口
２３  側蓋
２４  取っ手
２５１  吐水パイプ
２５２  ハンドル
２６、２７  サイド溝
２８  外槽
２９  洗濯槽
３０、３０Ａ、３１、３１Ａ  Ｌ形金具
３２、３２Ａ、３２Ｂ  エルボ
３３、３３Ａ、３４  直管
３５  給水電磁弁
【図１】
0003114147.tif 000003
【図２】
0003114147.tif 000004
【図３】
0003114147.tif 000005
【図４】
0003114147.tif 000006
【図５】
0003114147.tif 000007